(57)【要約】【課題】チューナの多品種、短時間の開発に柔軟に対応することができるチューナの検査装置を提供すること。【解決手段】チューナ２を載置する載置部１１に対して、チューナ２を押圧して検査時におけるチューナ２の可動を制限するチューナ押圧部１５、チューナ２のアンテナ端子以外の端子に対応する端子が接続される接点部を、可動可能にし、さらに載置部１１を交換可能とする。【選択図】図１
2013131899.tif 000002
【特許請求の範囲】
【請求項１】
チューナの動作を検査する検査装置において、
前記チューナを載置する載置部と、
前記載置部に載置した前記チューナのアンテナ端子に高周波信号を入力する高周波信号の端子と、
前記載置部に載置した前記チューナを押圧して前記チューナの可動を制限するチューナ押圧部と、
前記チューナの前記アンテナ端子以外の端子に対応する端子が接続される接点部とを備え、
前記載置部が交換可能とされ、検査する前記チューナに応じて前記載置部を交換して当該載置部に載置したチューナを前記高周波信号の端子に接続可能とし、
前記チューナ押圧部が前記載置部に対して可動可能とされ、検査する前記チューナに応じて前記チューナ押圧部を可動して、前記チューナ押圧部により前記載置部に載置したチューナの可動を制限可能とし、
前記接点部が前記載置部に対して可動可能とされ、検査する前記チューナに応じて前記接点部を可動して前記載置部に載置したチューナに前記接点部の端子を接続可能とした
検査装置。
【請求項２】
前記接点部は、検査に合格した前記チューナに合格印を捺印する検査印が設けられた
請求項１に記載の検査装置。
【発明の詳細な説明】
【技術分野】
【０００１】
本発明は、検査装置に関し、特にテレビジョン放送の受信に供するチューナの検査に適用することができる。
【背景技術】
【０００２】
従来、テレビジョン放送の受信に供するチューナの検査装置は、チューナの出荷検査に使用されている。図４は、チューナの検査装置の従来構成を示す略線図である。検査装置１は、所定の載置位置にチューナ２をセットして検査開始のボタンを操作すると、上方より押圧片３が降下してチューナ２を押圧し、チューナ２を載置位置に保持する。また続いてチューナ２に受けられたアンテナ端子２Ａに高周波信号を入力すると共に、図示しないコンタクトピンを介して各種の制御信号をチューナ２に入力し、選局動作等の各種の動作を検査する。
【０００３】
この種の検査装置に関して、例えば特開平５−１６０６７７号公報には、チューナを打診検査する構成が提案されている。
【先行技術文献】
【特許文献】
【０００４】
【特許文献１】特開平５−１６０６７７号公報
【発明の概要】
【発明が解決しようとする課題】
【０００５】
ところでこの種のチューナは、近年、非常に多品種になり、かつ開発期間が極めて短くなっている。しかしながら従来のチューナの検査装置は、チューナの種類毎に検査装置を設けることが必要である。これにより従来の検査装置は、チューナの多品種化、開発期間の短期化に充分に対応できない問題があった。
【０００６】
本発明は、チューナの検査に関して、多品種化、短時間の開発に充分に対応することができる検査装置を提供することを目的とする。
【課題を解決するための手段】
【０００７】
係る課題を解決するため、請求項１の発明は、
チューナの動作を検査する検査装置において、
前記チューナを載置する載置部と、
前記載置部に載置した前記チューナのアンテナ端子に高周波信号を入力する高周波信号の端子と、
前記載置部に載置した前記チューナを押圧して前記チューナの可動を制限するチューナ押圧部と、
前記チューナの前記アンテナ端子以外の端子に対応する端子が接続される接点部とを備え、
前記載置部が交換可能とされ、検査する前記チューナに応じて前記載置部を交換して当該載置部に載置したチューナを前記高周波信号の端子に接続可能とし、
前記チューナ押圧部が前記載置部に対して可動可能とされ、検査する前記チューナに応じて前記チューナ押圧部を可動して、前記チューナ押圧部により前記載置部に載置したチューナの可動を制限可能とし、
前記接点部が前記載置部に対して可動可能とされ、検査する前記チューナに応じて前記接点部を可動して前記載置部に載置したチューナに前記接点部の端子を接続可能とする。
【０００８】
請求項１の構成によれば、載置部の交換、チューナ押圧部及び接点部の可動により、種々のチューナに対応することができ、これにより、多品種化、短時間の開発に柔軟に対応することができる。
【０００９】
また請求項２の発明は、請求項１の構成において、
前記接点部は、検査に合格した前記チューナに合格印を捺印する検査印が設けられる。
【００１０】
請求項２の構成によれば、検査印の押圧個所についても柔軟に対応することができる。
【発明の効果】
【００１１】
本発明によれば、チューナの検査に関して、多品種化、短時間の開発に柔軟に対応することができる。
【図面の簡単な説明】
【００１２】
【図１】本発明の検査装置を示す図である。
【図２】図１の検査装置の接点部を示す図である。
【図３】図１の検査装置の説明に供する図である。
【図４】従来の検査装置の説明に供する図である。
【発明を実施するための形態】
【００１３】
以下、本発明の実施形態について図面を参照しながら説明する。
【００１４】
〔第１実施形態〕
図１は、本発明の第１実施形態の検査装置を示す図である。この検査装置１０は、載置部１１に載置したチューナ２の選局動作等を検査する。なおこの検査装置１０は、この載置部１１が３個所設けられ、これにより３台のチューナ２を同時並列的に試験できるように構成されているものの、この図１においては、１台のチューナ２に係る部位のみを示す。
【００１５】
ここで載置部１１は、検査に供するチューナ２を載置する部位であり、側方ガイド材１２Ａ、１２Ｂが対向するように配置される。ここでこの側方ガイド材１２Ａ及び１２Ｂは、内側に段差が設けられ、この段差に係る部位でチューナ２の底面及び側面をガイドして、側方ガイド材１２Ａ、１２Ｂの連続する方向（この図１ではＸ方向である）にチューナ２を位置決めする。また載置部１１は、手前側にガイド部材１２Ｃが設けられる。検査装置１０は、この手前側のガイド部材１２Ｃに対向するように、奥側に高周波信号の入力端子１３Ａ、１３Ｂが設けられる。これにより検査装置１０では、チューナ２を持ち来たして、チューナ２のアンテナ端子に高周波信号の入力端子１３Ａ又は１３Ｂを差し込みながら、側方ガイド材１２Ａ及び１２Ｂ、ガイド部材１２Ｃによりガイドされる部位にチューナ２を載置してチューナ２を位置決めする。
【００１６】
ここでこの検査装置１０において、高周波信号の入力端子１３Ａ、１３Ｂは、位置が固定されているのに対し、載置部１１は、載置台１３上に設けられ、この載置台１３ごと交換可能に構成される。これにより検査装置１０は、チューナ２のアンテナ端子を衝にしてチューナ２を位置決めするようにして、載置部１１の交換によりアンテナ端子の位置が種々に異なるチューナ２、さらには大きさの異なるチューナ２を位置決めできるように構成される。またさらにチューナ２によっては、検査時に、固有の外付け回路が必要な場合もあり、このような場合には載置部１１にこの外付け回路を配置することにより、この場合も柔軟に対応することができる。なおこの場合には、後述する接点部２２を介してこの外付け回路の接続することになることから、検査装置１０は、このような外付けの回路を接続するためのコネクタも設けられる。
【００１７】
検査装置１０は、この載置部１１に載置したチューナ２を押圧部１５により上方より押圧し、これにより検査時におけるチューナ２の可動を制限する。またこの押圧部１５を載置部１１に対して可動可能とし、これにより種々の形状のチューナ２について、位置決め位置に保持できるようにする。すなわちアンテナ端子の位置が種々に異なるチューナ２については、Ｘ方向、Ｙ方向及びＺ方向に押圧部１５を可動して、載置部１１に載置したチューナ２の重心を押圧できるようにし、これにより例えば押圧部１５による押圧によりチューナ２が載置部１１より脱落したり、また試験中に可動したりしないようにする。また厚みの異なるチューナ２については、Ｚ方向に押圧部１５を可動して、無理にチューナ２を押圧しないようする。
【００１８】
すなわち押圧部１５は、押圧片１６をシリンダ１７により上下に可動することにより、チューナ２を押圧片１６により押圧する。検査装置１０は、Ｙ方向に延長するガイドレール１８が筐体に配置され、このガイドレール１８にガイドされてＸ方向に延長するガイドレール１９が設けられる。なおＹ方向に延長するガイドレール１８は、この検査装置１０において左右両端に設けられるものの、この図１においては手前側の記載を省略して示す。検査装置１０は、Ｙ方向に延長するガイドレール１９によりガイドされて、Ｚ方向に延長するガイドレール２０に押圧部１５が配置される。これにより検査装置１０では、ガイドレール１８、１９、２０に係る調整により、押圧部１５の位置を可変できるように構成される。
【００１９】
さらに検査装置１０は、載置部１１の中央、載置台１３に開口１４が形成され、この開口１４の下に、接点部２２が設けられる。ここで図２は、この接点部２２の構成を詳細に示す図である。接点部２２は、コンタクトピンによる端子２２Ａ〜２２Ｊが複数設けられ、この複数の端子２２Ａ〜２２Ｊが、チューナ２のアンテナ端子以外の端子に接続される。また接点部２２には、検査に合格したチューナ２に合格印を捺印する検査印２３が設けられる。
【００２０】
検査装置１０は、この接点部２２を載置部１１に対して可動可能とし、これにより種々の形状のチューナ２に対応できるようにする。すなわちアンテナ端子に対して他の端子の位置が種々に異なるチューナ２について、接点部２２をＸ方向及びＹ方向に可動し、これによりチューナ２の種類が異なる場合でも端子２２Ａ〜２２Ｊの接続を確保する。このため検査装置１０は、押圧部１５と同様のガイドレールを介して接点部２２を配置し、これにより接点部２２を可動可能に構成する。
【００２１】
これらによりこの検査装置１０は、図３に示すように、チューナ２の保持に供するチューナ保持機構が、ガイドレールに係る構成であるチューナ２保持機構レールと、個々のチューナに対応する載置部等に係る個別保持機構と、これらを保持するチューナ保持機構ベースとにより構成されることになる。
【００２２】
以上の構成によれば、載置部を交換可能と、この載置部に対して押圧部及び接点部をそれぞれ可動可能とすることにより、チューナの種類が異なる場合でも、載置部の交換と押圧部及び接点部の可動により対応することができ、これによりチューナの検査に関して、多品種化、短時間の開発に柔軟に対応することができる
【００２３】
また接点部に検査印を配置することにより、検査印の押圧個所についても柔軟に対応することができる。
【００２４】
〔他の実施形態〕
以上、本発明の実施に好適な具体的な構成を詳述したが、本発明は、本発明の趣旨を逸脱しない範囲で、上述の実施形態の構成を種々に変更することができる。
【００２５】
すなわち上述の実施形態では、押圧部をＸ方向、Ｙ方向、Ｚ方向に可動可能とする場合について述べたが、本発明はこれに限らず、必要に応じてＸ方向及び又はＹ方向にのみ可動可能としてもよい。
【００２６】
また上述の実施形態では、接点部に検査印を配置する場合について述べたが、本発明はこれに限らず、必要に応じて省略しても良い。
【符号の説明】
【００２７】
１  検査装置
２  チューナ
２Ａ  アンテナ端子
７、１６  押圧片
１０  検査装置
１１  載置部
１２Ａ、１２Ｂ  １２Ｃ  ガイド部材
１３  載置台
１３Ａ  入力端子
１４  開口
１５  チューナ押圧部
１７  シリンダ
１８〜２０  ガイドレール
２２  接点部
２２Ａ〜２２Ｊ  端子
２３  検査印
【図１】
2013131899.tif 000003
【図２】
2013131899.tif 000004
【図３】
2013131899.tif 000005
【図４】
2013131899.tif 000006